(57)【要約】【課題】  仮祭壇等に用いる、低コストで組立て易く、安定性の高い段ボール紙製棚台の提供。【解決手段】  背部１とその両側に階段状に形成された一対の対称な側部２とを有する基部板３を設け、その基部板３の各段状に溝型の梁部材４を着脱自在に嵌着すると共に、それら各段の上端に棚板7a〜7cを嵌着固定したものにおいて、  基部板３をその背部１の中央で別部材に二分し、夫々の端部に折り曲げ筋９を介して接続部８を延在させ、その接続部８どうしを重ね合わせて接合する。そして背部１の中間位置に一対の第１スリット10を形成し、そこに最上段の棚板7aの短側壁部６に設けた第２スリット11を嵌着して、その第２スリット11間にある中央部6aを背部１の外面側に位置させる。それにより基部板３の背部１を突っ張り、背部１が中央から折れ曲がらないようにする。【選択図】        図２
0003127992.tif 000002
【実用新案登録請求の範囲】
【請求項１】
それぞれの材料が段ボール紙よりなり、背部(1) とその背部(1) を最上段の高さとする階段状の一対の対称な側部(2) とが平面コ字状に立ち上げられる基部板(3) と、その基部板(3) の両側部(2) の上端間に着脱自在に架設される複数の溝形の梁部材(4)と、その基部板(3) の上面に着脱自在に階段状に被着され、その各階段に整合し長側壁部(5)と短側壁部(6)を有する変形溝状の複数の棚板(7a)(7b)(7c) と、を具備する段ボール紙製棚台において、
前記基部板(3) がその背部(1) の中央で別部材に二分され、それぞれの端部に補強兼接続用の接続部(8) が折り曲げ筋(9) を介して延在し、両接続部(8) が断面Ｌ字状に内面側に折り曲げられると共に、互いに重ね合わされて、その重ね合わせ部で互いに接続され、
二分されたその各背部(1) の中間位置に、その上縁から第１スリット(10)が形成され、最上段の棚板(7a)の前記短側壁部(6)に、前記第１スリット(10)に整合する位置で、一対の第２スリット(11)が形成され、
その短側壁部(6)の一対の第２スリット(11)間が前記背部(1) の外面側に位置するように、その一対の第２スリット(11)と前記第１スリット(10) とが着脱自在に嵌着することを特徴とする段ボール紙製棚台。
【請求項２】
請求項１において、
前記基部板(3) の前記側部(2) の階段状の各上縁から一対づつの梁用スリット(12)が互いに離間して形成され、その一対の梁用スリット(12)間の上縁(21)のみが梁部材(4)の板厚（ｔ）だけ低く形成されたことを特徴とする段ボール紙製棚台。
【請求項３】
請求項２において、
前記一対の梁用スリット(12)の長さが同一で、溝状に形成された前記梁部材(4)の第１側壁部(13)の長さが前記梁用スリット(12)の長さより長く且つ、その梁用スリット(12)に整合する位置に補助スリット(14)が形成され、その梁部材(4)の第２側壁部(15)の長さが前記梁用スリット(12)の長さ以下に形成されたことを特徴とする段ボール紙製棚台。  
【請求項４】
請求項２又は請求項３において、
前記基部板(3) の前記側部(2) の最下段の下縁(27)のみは、他の下縁より棚板(7c)の厚み分高く位置し、
最下段に位置する前記棚板(7c)は、断面略Ｇ字状に形成され、その下面部(17) が前記側部(2) の前記下縁(27)に当接することを特徴とする段ボール紙製棚台。
【考案の詳細な説明】
【技術分野】
【０００１】
本考案は、段ボール紙を用いた棚台であって、主として仮祭壇として利用するものの改良に関する。
【背景技術】
【０００２】
一例として葬儀の後、納骨までの間に、遺族の家において位牌や写真等を載置して供養するため「後飾り壇」と呼ばれる階段状の棚台が用いられることがある。この後飾り壇は、棚板を階段状に配置した台であり、従来から木製のものと、本出願人が下記特許文献１で提案している段ボール製のものとが存在する。
この段ボール製棚台は、低廉な価格でそれを提供できるものであり、下記の構成からなる。それぞれ材料が段ボール紙よりなる、基部板と、複数の溝型の梁部材と、複数の棚板とからなる。基部板は、背部と階段状の両側部とが平面コ字状に立ち上げられるものである。そして基部板の両側の上端間に溝型の梁部材が着脱自在に架設され、その上面に棚板がそれぞれ着脱自在に嵌着されるものである。
【０００３】
【特許文献１】実用新案登録第３０４８３２２号公報
【考案の開示】
【考案が解決しようとする課題】
【０００４】
本出願人が先に提案した段ボール製の組立部品のうち、最も大きな基部板は背部と階段状の両側部とが一体で形成され、その背部の中央に補強用のリブが折り曲げ形成されていた。このような段ボール製の基部板を製作するには、それを展開した横幅を有する段ボール加工機械と、そこに取付けられる裁断刃および折筋形成ローラ等を備えた金型を必要とするが、その基部板の幅が広いため、金型の製作コストが高く且つ、大型加工機械を必要とし、結果として製造コストを上昇させ、棚台価格を上昇させる欠点があった。
【０００５】
さらに、背部中央に折り曲げられたリブを有するため、棚台の組立て時に背部が折れ線に沿って内側に折り曲げられる不安定さがあった。
また、溝型の梁部材の両側壁部には計４つのスリットが存在し、それが側部の各棚の上面に設けたスリットに嵌着して、安定性を保つように構成しているが、４つのスリットどうしを嵌着固定する作業が面倒で、組立の容易さに欠ける欠点があった。
そこで本考案は、係る欠点を取り除き、改良された段ボール紙製棚台を提供することを課題とする。
【課題を解決するための手段】
【０００６】
本考案は、それぞれの材料が段ボール紙よりなる基部板(3) と、複数の溝形の梁部材(4)と、複数の棚板(7a)〜(7c)からなる。その基部板(3) は、背部(1) とその背部(1) を最上段の高さとする階段状の一対の対称な側部(2) とが平面コ字状に立ち上げられたものである。また、梁部材(4)は、その基部板(3) の両側部(2) の上端間に着脱自在に架設され、溝状に形成されるものである。さらに、棚板(7a)〜(7c)は、その基部板(3) の上面に着脱自在に階段状に被着され、その各階段に整合し、長側壁部(5)と短側壁部(6)を有する変形溝状のものである。
ここにおいて、本考案の特徴とするところは、
前記基部板(3) がその背部(1) の中央で別部材に二分され、それぞれの端部に補強兼接続用の接続部(8) が折り曲げ筋(9) を介して延在し、両接続部(8) が断面Ｌ字状に内面側に折り曲げられると共に、互いに重ね合わされて、その重ね合わせ部で互いに接続されたものである。そして、二分されたその各背部(1) の中間位置に、その上縁から第１スリット(10)が形成される。また、最上段の棚板(7a)の前記短側壁部(6)に、前記第１スリット(10)に整合する位置で、一対の第２スリット(11)が形成される。そして、その短側壁部(6)の一対の第２スリット(11)間が前記背部(1) の外面側に位置するように、その一対の第２スリット(11)と前記第１スリット(10) とが着脱自在に嵌着するものである。
【０００７】
上記構成において、
前記基部板(3) の前記側部(2) の階段状の各上縁から一対づつの梁用スリット(12)を互いに離間して形成し、その一対の梁用スリット(12)間の上縁(21)のみを梁部材(4)の板厚（ｔ）だけ低くすることができる。
【０００８】
さらに、上記構成において、
前記一対の梁用スリット(12)の長さを同一とし、溝状に形成された前記梁部材(4)の第１側壁部(13)の長さを前記梁用スリット(12)の長さより長くし且つ、その梁用スリット(12)に整合する位置に補助スリット(14)を形成し、その梁部材(4)の第２側壁部(15)の長さを前記梁用スリット(12)の長さ以下にすることができる。  
【０００９】
また、上記構成において、前記基部板(3) の前記側部(2) の最下段の下縁(27)のみは、他の下縁より棚板(7c)の厚み分高く位置し、
最下段に位置する前記棚板(7c)は、断面略Ｇ字状に形成し、その下面部(17)を前記側部(2) の前記下縁(27)に当接することかできる。
【考案の効果】
【００１０】
本考案の段ボール紙製棚台は、基部板３が背部１の中央で別部材に二分され、それぞれの端部の接続部８が折り曲げ筋９で断面Ｌ字状に内面側に折り曲げられて重ね合わされる。そして、その背部１の中間位置にそれぞれ存在する第１スリット10に最上段の棚板7aの短側壁部６の一対の第２スリット11が嵌着し、その一対の第２スリット11間が背部１の外面側に位置するように構成したから、段ボール紙製棚台を組み立てる際に、その基部板３の背部１が折れ曲がることを防止し、棚台の組立てを迅速に行うことができると共に、基部板３の剛性を強くして安定性の良い棚台を提供できる。
また、その基部板３が、その背部１の中央で別部材に二分されたものであるため、基部板３製作用金型の大きさが従来の半分で済むと共に、基部板３のための製造・加工機械の大きさも小さなものを利用できる。それにより、製造コストを低下させ、段ボール紙製棚台を安価に提供できる。
【００１１】
上記構成において、基部板３の側部２の階段状の各上縁に一対づつの梁用スリット12を互いに離間して形成し、その一対の梁用スリット12間の上縁21のみを梁部材４の板厚ｔだけ低くした場合には、梁部材４をその梁用スリット12に嵌着したとき、梁部材４の上面とその両側の上面とを面一にして、それらに被着する棚板7a〜7cを平担にして安定性の良い棚台上面を形成することができる。
【００１２】
上記構成において、一対の梁用スリット12の長さを同一とし、梁部材４の第１側壁部13の長さを梁用スリット12の長さより長くし且つ、その梁用スリット12に整合する位置に補助スリット14を形成し、第２側壁部15の長さを梁用スリット12の長さ以下にした場合には、梁用スリット12と補助スリット14との嵌着によって、梁用スリット12の長手方向への移動を防止すると共に、梁部材４の取付けを迅速且つ容易に行うことができる。
【００１３】
上記構成において、基部板３の側部２の最下段の位置の下縁27を他の下縁より棚板7cの厚み分高く位置し、最下段に位置する棚板7cを断面Ｇ字状に形成して、その下面部17を前記下縁27に当設した場合には、棚板7cの下面部17と側部２の下縁とを面一にし、安定性の良い棚台を形成できる。
【考案を実施するための最良の形態】
【００１４】
次に、図面に基づいて本考案の実施の形態につき説明する。
図１は本考案の段ボール紙製棚台の正面側斜視図であり、図２は同背面側斜視図である。また、図３は同棚台に用いられる基部板３の立設状態を示す斜視図であり、図４は基部板３の構成部品の一方を示す展開図である。さらに、図５は同棚台の構成部品の梁部材４をその下面側から示す斜視図であり、図６は同棚台の棚板7a〜7cをその下面側から示す斜視図である。そして図７は基部板３と梁部材４との組立て状態を示す斜視図であり、図８は図７のVIII−VIII矢視断面図である。
【００１５】
この例の段ボール紙製棚台は、葬儀の後に後飾り壇として、初七日、三五日、四十九日、一周忌などの法事に仮祭壇として使用する組立および分解自在なものであり、図１および図２に示す如く、その構成部品はそれぞれ段ボール紙からなり、基部板３と複数の梁部材４と複数の棚板7a〜7cとからなる。
基部板３は、図３に示す如く背部１とその両側に折り曲げ形成される一対の対称形の側部２とからなる。この基部板３は、図４に展開図で示す一対の半基部板3aを接続部８において締結条16で締結固定したものである。この半基部板3aは、一方側の側部２と半分の背部１とその端部に設けられた接続部８とからなる。そして背部１と側部２との間および背部１と接続部８との間に折り曲げ筋９が形成されている。
【００１６】
側部２には、この例では３段の階段状部が設けられ、各階段の中央には互いに離間し一対づつの同一長さの梁用スリット12が形成され、その一対の梁用スリット12間の上縁21の高さは、その左右の高さに比べ後述する梁部材４の板厚ｔ分低くなっている。そして各段の境および背部１との境にはそれぞれ段縁スリット18が形成されている。さらに、最下段の下面側中間部に下縁スリット20が形成されている。それと共に、下縁スリット20と最下段の縁とを結ぶ下縁27の高さはそれ以外の高さよりも棚板7cの板厚ｔ分高くなっている。
さらに、背部１の上端中間部にはその上縁から第１スリット10が形成され、その第１スリット10と接続部８との間の上縁高さは、他の上縁よりも段ボールの板厚ｔ分低くなっている。
【００１７】
このようにしてなる一対の対称形状の半基部板3aは、それぞれ折り曲げ筋９で直角に折り曲げられ、その接続部８が図３の如く付き合わされる。そして、それぞれの接続部８間が段ボール用ステープル（商品名ホチキス（登録商標）の針の大型のもの）である締結条16を多数用いて締結固定される。このとき基部板３の背部１には、一対の第１スリット10が接続部８の両側に形成される。
なお、基部板３の不使用時および搬送時には各折り曲げ筋９は引き伸ばされて平坦に保管または搬送される（以下他の部品も同様である）。
【００１８】
次に、各段の梁用スリット12に嵌着される梁部材４は図５の如く形成されている。その梁部材４は、折り曲げ筋９によって溝型に折り曲げ形成され、一対の第１側壁部13と第２側壁部15および底部を有する。第２側壁部15の高さは、基部板２の梁用スリット12の深さと同一または、それよりも僅かに低くされている。また第１側壁部13の高さは梁用スリット12の深さより高く形成されている。その第１側壁部13にはその長手方向の両端部に一対の補助スリット14が形成されている。一対の補助スリット14間の距離は、基部板３の背部１の長さに等しい。そして補助スリット14の深さｓは、第１側壁部13と第２側壁部15の高さの差ｓに等しい。
【００１９】
このようにしてなる梁部材４は、図７および図８に示す如く、基部板３の両側部２の各段に嵌着される。このとき梁部材４の第２側壁部15の先端は、図８に示す如く、梁用スリット12の底と一致するか、それよりも僅かに上方（１〜３ｍｍ程度）に位置し、第１側壁部13の補助スリット14が梁用スリット12の底の縁部に嵌着する。そして、梁部材４の溝底面が、上縁21に当設する。このとき梁部材４の上面は、側部２の各段の上面に面一となる。これは一対の梁用スリット12間の上縁21の高さが梁部材４の板厚ｔ分だけ予め低く形成されているからである。そのため、この梁部材４および各段上に被着される後述する棚板7a〜7cはその上面が平坦に維持される。
【００２０】
なお、図８では図示の都合上、第１側壁部13，第２側壁部15の厚みを梁用スリット12の幅より小さくしているが、実際にはその逆で、梁用スリット12の幅は第１側壁部13，第２側壁部15の厚みよりも僅かに小に形成されて、両者の嵌着時に互いに圧着される。このとき第１側壁部13の補助スリット14が梁用スリット12の底部に嵌着するため、梁部材４はその長手方向に移動することがない。それと共に、補助スリット14の嵌着によって一対の側部２の間隔を保つと共に、それらが傾斜することを防止できる。即ち、梁部材４はそのスリットの嵌着により、筋交いの機能をも有する。
【００２１】
次に、基部板３の最上段に取付けられる棚板7aは、図６（Ａ）に示す如く、上面部22の幅が最上段の幅に等しく、その両側に折り曲げ筋９を介して長側壁部５と短側壁部６とが設けられている。長側壁部５および短側壁部６の両端部には一対づつの第３スリット25，第４スリット26が基部板３の背部１の間隔で設けられている。また、短側壁部６の中央部には一対の第２スリット11が基部板３の背部１の一対の第１スリット10にそれぞれ整合する位置に形成されている。なお、一対の第２スリット11間の下縁28はその両側の位置よりも僅かに上方に形成され、後述するその嵌着を容易にしている。同様の理由で各スリットの一方側には隅取り部19が形成されている。
そして短側壁部６の第２スリット11の底からその上面部22までの高さは、背部１の第１スリット10の深さと同一またはそれより僅かに小に形成されている。
【００２２】
このようにしてなる棚板7aは、図２に示す如く、その背面側の短側壁部６の一対の第４スリット26図６（Ａ９））が、図３における背部１の両側の段縁スリット18に嵌着され、一対の第２スリット11が背部１の第１スリット10に嵌着される。そして短側壁部６の第２スリット11間に存在する中央部6aは、背部１の外面側に突出し、それ以外の短側壁部６は背部１の内面側に位置する。このように短側壁部６が一対の段縁スリット18および一対の第１スリット10間をＳ字状に突っ張るように嵌着されることにより、背部１を平面的に引き伸ばし、背部１の折り曲げ筋９が内面側に折れ曲がることを防止する。そして、棚板7aの長側壁部５の第３スリット25（図６（Ａ））が基部板３の側部２（図２）の最上段と中間段との境の段縁スリット18に嵌着される。
【００２３】
次に、図６（Ｂ）に示す、中間段に配置される棚板7ｂは図６（Ａ）における第２スリット11が存在しない形に形成されている。また、最下段に位置する棚板7cは横断面が略Ｇ字状に形成され、長側壁部５の下縁に下面部17および立上げ部23がそれぞれ折り曲げ筋９を介して溝型に折れ曲がるように延在している。そして、その立上げ部23の各両端部に一対の第５スリット24が設けられ、それらの間隔が基部板３の背部１の幅に整合する。長側壁部５の高さは、最下段の側部２の高さに整合し、下面部17の幅は、下縁27の幅に整合する。そして、中間用の棚板7bは基部板３の中段に被嵌され、その短側壁部６の第４スリット26が最上段と中間段との間の段縁スリット18に嵌着され、長側壁部５の第３スリット25が中間段と最下段との境の段縁スリット18に嵌着される。そして、最下段用の棚板7cの短側壁部６が最下段と中間段との境の段縁スリット18に嵌着されると共に、長側壁部５が正面に位置し下面部17が下縁27に当設し、立上げ部23の第５スリット24が下縁スリット20に嵌着される。
【００２４】
このとき下面部17の下面と側部２の下縁とは面一になる。何故ならば、側部２の先端部である下縁27がそれ以外の部分よりも棚板7cの板厚ｔ分上側に位置しているからである。
このようにして、図１および図２に示す段ボール紙製棚台を完成する。そしてこの棚台全体を覆うように、図示しない難燃性のカバーが被着される。そして各段に花や骨壺その他が載置され、仮祭壇が完成する。
なお、仮祭壇を分解するには前記組立手順と逆の手順により行えば良い。
【図面の簡単な説明】
【００２５】
【図１】本考案の段ボール紙製棚台の正面側斜視図。
【図２】同背面側斜視図。
【図３】同棚台に用いられる基部板３の斜視図。
【図４】同基部板３の一方の部品である半基部板3aの展開図。
【００２６】
【図５】同棚台に用いられる梁部材４の斜視図。
【図６】同棚台に用いられる棚板7a〜7cの斜視図。
【図７】同棚台の組立て途中の説明的斜視図。
【図８】図７のVIII−VIII矢視断面図
【符号の説明】
【００２７】
１  背部
２  側部
３  基部板
3a  半基部板
４  梁部材
５  長側壁部
６  短側壁部
6a  中央部
7a〜7c  棚板
【００２８】
８  接続部
９  折り曲げ筋
10  第１スリット
11  第２スリット
12  梁用スリット
13  第１側壁部
14  補助スリット
15  第２側壁部
16  締結条
17  下面部
18  段縁スリット
【００２９】
19  隅取り部
20  下縁スリット
21  上縁
22  上面部
23  立上げ部
24  第５スリット
25  第３スリット
26  第４スリット
27  下縁
28  下縁
【図１】
0003127992.tif 000003
【図２】
0003127992.tif 000004
【図３】
0003127992.tif 000005
【図４】
0003127992.tif 000006
【図５】
0003127992.tif 000007
【図６】
0003127992.tif 000008
【図７】
0003127992.tif 000009
【図８】
0003127992.tif 000010